(57)【要約】【課題】生体情報転送装置と生体情報測定装置がそれぞれ備えるＲＴＣの信頼性を客観的に判断し、より信頼性の高いＲＴＣの日時情報に較正することで、測定する生体情報に付随する日時情報の信頼性を向上する、生体情報処理システム、生体情報測定装置、生体情報転送装置及び生体情報処理システムにおける時刻同期方法を提供する。【解決手段】生体情報測定装置とデータカードの双方に、ＲＴＣの正確性を客観的に判断するための指標となる、時刻レベルを導入した。この時刻レベルは、電池が交換されたか否か、及び時刻情報の転送回数を示す経由回数と、最も正確な日時情報にてＲＴＣが較正された時点からの経過時間の乗算値である。この時刻レベルを比較することで、生体情報測定装置とデータカードのどちらのＲＴＣを他方の日時情報に較正するか、または較正自体を行わないのかを明確な基準で判断することができる。【選択図】図１
2018084929.tif 000002
【特許請求の範囲】
【請求項１】
患者の生体情報を測定する１以上の生体情報測定装置と、
前記生体情報測定装置から前記生体情報と測定日時情報を受信して所定のホスト装置へ転送する生体情報転送装置と
よりなる生体情報処理システムであって、
前記生体情報測定装置は、
患者の物理的あるいは化学的状態や性質をアナログ信号として検出するセンサと、
前記センサが出力する前記アナログ信号をデジタルデータに変換するＡ／Ｄ変換器と、
前記デジタルデータを生体情報に変換する測定データ演算処理部と、
日時情報を計時するＲＴＣと、
前記生体情報が前記ＲＴＣが出力する測定日時情報と共に記憶される測定データメモリと、
前記測定データメモリに記憶されている前記生体情報と前記測定日時情報を前記生体情報転送装置へ送信する近距離無線通信部と、
前記生体情報転送装置または前記生体情報測定装置が前記ホスト装置から受信した正確な日時情報によって前記ＲＴＣが較正された時点の日時から経過した時間である同期経過時間と、前記生体情報転送装置から前記同期経過時間を受信した時点の日時情報である同期経過時間受信日時が記憶される経過時間メモリと、
正確な日時情報によって前記ＲＴＣが較正された前記生体情報転送装置または前記生体情報測定装置から出力された日時情報を受信するまでに前記生体情報転送装置及び／または前記生体情報測定装置を経由した回数である経由回数が記憶される経由回数メモリと、
前記ＲＴＣを指定された日時情報で較正する時刻情報更新処理部と、
現在日時から前記同期経過時間受信日時を減算した直前経過時間を前記同期経過時間に加算した送信用同期経過時間と、前記経由回数を、前記近距離無線通信部を通じて前記生体情報転送装置に送信すると共に、前記生体情報転送装置が日時情報を要求した場合には、前記ＲＴＣから現在日時情報を読み出して前記生体情報転送装置に送信し、前記生体情報転送装置から日時情報と同期経過時間と経由回数を受信した場合には、前記時刻情報更新処理部を通じて前記生体情報転送装置から受信した前記日時情報で前記ＲＴＣを較正し、前記生体情報転送装置から受信した前記同期経過時間と前記日時情報を前記経過時間メモリに保存し、前記生体情報転送装置から受信した前記経由回数に１を加算した値を前記経由回数メモリに保存する入出力制御部と
を具備するものであり、
前記生体情報転送装置は、
前記生体情報測定装置から生体情報と測定日時情報を受信する近距離無線通信部と、
日時情報を計時するＲＴＣと、
前記生体情報測定装置から受信した前記生体情報と前記測定日時情報を記憶する測定データメモリと、
前記生体情報転送装置または前記生体情報測定装置が前記ホスト装置から受信した正確な日時情報によって前記ＲＴＣが較正された時点の日時から経過した時間である同期経過時間と、前記生体情報測定装置または前記ホスト装置から前記同期経過時間を受信した時点の日時情報である同期経過時間受信日時が記憶される経過時間メモリと、
正確な日時情報によって前記ＲＴＣが較正された前記生体情報転送装置または前記生体情報測定装置から出力された日時情報を受信するまでに前記生体情報転送装置及び／または前記生体情報測定装置を経由した回数である経由回数が記憶される経由回数メモリと、
患者を一意に識別する患者ＩＤが記憶されている患者ＩＤメモリと、
前記ＲＴＣを指定された日時情報で較正する時刻情報更新処理部と、
前記生体情報測定装置に対し、前記生体情報測定装置の同期経過時間と経由回数の送信を要求して、前記生体情報測定装置から前記同期経過時間と前記経由回数を受信する入出力制御部と、
前記生体情報測定装置の、受信した前記同期経過時間に基づくレベル係数に受信した前記経由回数を乗算した値である相手時刻レベルと、前記ＲＴＣから取得した現在日時から前記同期経過時間受信日時を減算した値を前記同期経過時間に加算した新たな同期経過時間に基づくレベル係数に前記経由回数メモリに記憶されている前記経由回数を乗算した自分時刻レベルとをそれぞれ算出して比較し、前記相手時刻レベルが前記自分時刻レベルより小さい場合には、前記時刻情報更新処理部にて前記生体情報測定装置から受信した日時情報で前記ＲＴＣを較正する判定を行う時刻情報判定処理部と
を具備し、
前記生体情報転送装置の前記入出力制御部は更に、
前記相手時刻レベルが前記自分時刻レベルより大きい場合には、前記時刻情報判定処理部の判定結果に基づいて、前記ＲＴＣから現在日時情報を読み出して前記生体情報測定装置に送信し、
前記相手時刻レベルが前記自分時刻レベルより小さい場合には、前記時刻情報判定処理部の判定結果に基づいて、前記時刻情報更新処理部を通じて前記生体情報測定装置から受信した前記日時情報で前記ＲＴＣを較正し、受信した前記同期経過時間と受信した前記日時情報を前記経過時間メモリに保存し、受信した前記経由回数に１を加算した値を前記経由回数メモリに保存するものである、
生体情報処理システム。
【請求項２】
前記時刻レベルは、前記同期経過時間に基づくレベル係数に、前記経由回数を乗算した値であり、
前記経由回数は、前記生体情報転送装置及び前記生体情報測定装置を稼働させる電池が交換された際には０に設定される、
請求項１に記載の生体情報処理システム。
【請求項３】
前記時刻情報判定処理部は、
前記相手時刻レベルが０であり、前記自分時刻レベルが０でない場合は、前記生体情報測定装置が前記生体情報転送装置の日時情報に較正すべきと判定し、
前記自分時刻レベルが０であり、前記相手時刻レベルが０でない場合は、前記生体情報転送装置が前記生体情報測定装置の日時情報に較正すべきと判定し、
前記自分時刻レベルと前記相手時刻レベルが共に０である場合は、前記生体情報転送装置と前記生体情報測定装置の双方共に日時情報の較正を行わないものと判定する、
請求項２に記載の生体情報処理システム。
【請求項４】
患者の生体情報を測定する１以上の生体情報測定装置と、
前記生体情報測定装置から前記生体情報と測定日時情報を受信して所定のホスト装置へ転送する生体情報転送装置と
よりなる生体情報処理システムにおける生体情報測定装置であって、
前記生体情報測定装置は、
患者の物理的あるいは化学的状態や性質をアナログ信号として検出するセンサと、
前記センサが出力する前記アナログ信号をデジタルデータに変換するＡ／Ｄ変換器と、
前記デジタルデータを生体情報に変換する測定データ演算処理部と、
日時情報を計時するＲＴＣと、
前記生体情報が前記ＲＴＣが出力する測定日時情報と共に記憶される測定データメモリと、
前記測定データメモリに記憶されている前記生体情報と前記測定日時情報を前記生体情報転送装置へ送信する近距離無線通信部と、
前記生体情報転送装置または前記生体情報測定装置が前記ホスト装置から受信した正確な日時情報によって前記ＲＴＣが較正された時点の日時から経過した時間である同期経過時間と、前記生体情報転送装置から前記同期経過時間を受信した時点の日時情報である同期経過時間受信日時が記憶される経過時間メモリと、
正確な日時情報によって前記ＲＴＣが較正された前記生体情報転送装置または前記生体情報測定装置から出力された日時情報を受信するまでに前記生体情報転送装置及び／または前記生体情報測定装置を経由した回数である経由回数が記憶される経由回数メモリと、
前記ＲＴＣを指定された日時情報で較正する時刻情報更新処理部と、
現在日時から前記同期経過時間受信日時を減算した直前経過時間を前記同期経過時間に加算した送信用同期経過時間と、前記経由回数を、前記近距離無線通信部を通じて前記生体情報転送装置に送信すると共に、前記生体情報転送装置が日時情報を要求した場合には、前記ＲＴＣから現在日時情報を読み出して前記生体情報転送装置に送信し、前記生体情報転送装置から日時情報と同期経過時間と経由回数を受信した場合には、前記時刻情報更新処理部を通じて前記生体情報転送装置から受信した前記日時情報で前記ＲＴＣを較正し、前記生体情報転送装置から受信した前記同期経過時間と前記日時情報を前記経過時間メモリに保存し、前記生体情報転送装置から受信した前記経由回数に１を加算した値を前記経由回数メモリに保存する入出力制御部と
を具備する、生体情報測定装置。
【請求項５】
患者の生体情報を測定する１以上の生体情報測定装置と、
前記生体情報測定装置から前記生体情報と測定日時情報を受信して所定のホスト装置へ転送する生体情報転送装置と
よりなる生体情報処理システムにおける生体情報転送装置であって、
前記生体情報転送装置は、
前記生体情報測定装置から生体情報と測定日時情報を受信する近距離無線通信部と、
日時情報を計時するＲＴＣと、
前記生体情報測定装置から受信した前記生体情報と前記測定日時情報を記憶する測定データメモリと、
前記生体情報転送装置または前記生体情報測定装置が前記ホスト装置から受信した正確な日時情報によって前記ＲＴＣが較正された時点の日時から経過した時間である同期経過時間と、前記生体情報測定装置または前記ホスト装置から前記同期経過時間を受信した時点の日時情報である同期経過時間受信日時が記憶される経過時間メモリと、
正確な日時情報によって前記ＲＴＣが較正された前記生体情報転送装置または前記生体情報測定装置から出力された日時情報を受信するまでに前記生体情報転送装置及び／または前記生体情報測定装置を経由した回数である経由回数が記憶される経由回数メモリと、
患者を一意に識別する患者ＩＤが記憶されている患者ＩＤメモリと、
前記ＲＴＣを指定された日時情報で較正する時刻情報更新処理部と、
前記生体情報測定装置に対し、前記生体情報測定装置の同期経過時間と経由回数の送信を要求して、前記生体情報測定装置から前記同期経過時間と前記経由回数を受信する入出力制御部と、
前記生体情報測定装置の、受信した前記同期経過時間に基づくレベル係数に受信した前記経由回数を乗算した値である相手時刻レベルと、前記ＲＴＣから取得した現在日時から前記同期経過時間受信日時を減算した値を前記同期経過時間に加算した新たな同期経過時間に基づくレベル係数に前記経由回数メモリに記憶されている前記経由回数を乗算した自分時刻レベルとをそれぞれ算出して比較し、前記相手時刻レベルが前記自分時刻レベルより小さい場合には、前記時刻情報更新処理部にて前記生体情報測定装置から受信した日時情報で前記ＲＴＣを較正する判定を行う時刻情報判定処理部と
を具備し、
前記入出力制御部は更に、
前記相手時刻レベルが前記自分時刻レベルより大きい場合には、前記時刻情報判定処理部の判定結果に基づいて、前記ＲＴＣから現在日時情報を読み出して前記生体情報測定装置に送信し、
前記相手時刻レベルが前記自分時刻レベルより小さい場合には、前記時刻情報判定処理部の判定結果に基づいて、前記時刻情報更新処理部を通じて前記生体情報測定装置から受信した前記日時情報で前記ＲＴＣを較正し、受信した前記同期経過時間と受信した前記日時情報を前記経過時間メモリに保存し、受信した前記経由回数に１を加算した値を前記経由回数メモリに保存するものである、
生体情報転送装置。
【請求項６】
患者の生体情報を測定する生体情報測定装置と、
前記生体情報測定装置から近距離無線通信にて前記生体情報と測定日時情報を受信して所定のホスト装置へ転送する生体情報転送装置と
よりなる生体情報処理システムにおける時刻同期方法であって、
前記生体情報転送装置から前記生体情報測定装置へ、正確な日時情報を提供する前記ホスト装置から転送された日時情報が、前記生体情報転送装置及び／または前記生体情報測定装置を経由した回数である経由回数と、前記生体情報転送装置が前記ホスト装置から日時情報の提供を受けた時点の日時から経過した時間である同期経過時間とを要求する、経由回数・同期経過時間要求ステップと、
前記生体情報測定装置から前記生体情報転送装置へ、前記経由回数と、前記生体情報測定装置自体の同期経過時間を更新した新たな同期経過時間を送信する、経由回数・同期経過時間送信ステップと、
前記生体情報測定装置から前記経由回数と前記新たな同期経過時間を受信した前記生体情報転送装置が、前記経由回数と前記新たな同期経過時間に基づいて前記生体情報測定装置の時刻レベルである相手側時刻レベルを算出し、前記生体情報転送装置自体の経由回数及び前記生体情報転送装置自体の同期経過時間に基づいて前記生体情報転送装置の時刻レベルである自分側時刻レベルを算出して、前記相手側時刻レベルと前記自分側時刻レベルを比較することで、前記生体情報転送装置と前記生体情報測定装置のどちらが時刻を較正すべきであるかを判定する、時刻同期判定ステップと、
前記時刻同期判定ステップにおいて、前記生体情報測定装置が前記生体情報転送装置の日時情報に較正すべきと判定したら、前記生体情報転送装置から前記生体情報測定装置へ、日時情報と、前記生体情報転送装置自体の経由回数と、前記生体情報転送装置自体の同期経過時間を更新した新たな同期経過時間を送信する、日時・経由回数・同期経過時間送信ステップと、
前記日時・経由回数・同期経過時間送信ステップを経て、前記生体情報測定装置が前記生体情報転送装置から受信した日時情報で前記生体情報測定装置のＲＴＣを較正し、前記生体情報転送装置から受信した前記生体情報転送装置自体の経由回数に１を加算して前記生体情報測定装置の経由回数として保存し、前記生体情報転送装置から受信した前記新たな同期経過時間を前記生体情報測定装置の同期経過時間として保存する、生体情報測定装置較正ステップと
を有する、生体情報処理システムにおける時刻同期方法。
【請求項７】
更に、
前記時刻同期判定ステップにおいて、前記生体情報転送装置が前記生体情報測定装置の日時情報に較正すべきと判定したら、前記生体情報転送装置から前記生体情報測定装置へ、日時情報の送信を要求する、日時情報要求ステップと、
前記日時情報要求ステップを経て、前記生体情報測定装置が前記生体情報転送装置から受信した前記日時情報の送信の要求を受けて、前記生体情報測定装置から前記生体情報転送装置へ日時情報を送信する、日時情報送信ステップと、
前記日時情報送信ステップを経て、前記生体情報転送装置が前記生体情報測定装置から受信した日時情報で前記生体情報転送装置のＲＴＣを較正し、前記経由回数・同期経過時間要求ステップにおいて前記生体情報測定装置から受信した前記生体情報測定装置自体の経由回数に１を加算して前記生体情報転送装置の経由回数として保存し、前記経由回数・同期経過時間要求ステップにおいて前記生体情報測定装置から受信した前記生体情報測定装置自体の新たな同期経過時間を前記生体情報転送装置の同期経過時間として保存する、生体情報転送装置較正ステップと
を有する、請求項６に記載の生体情報処理システムにおける時刻同期方法。
【請求項８】
前記時刻レベルは、前記同期経過時間に基づくレベル係数に、前記経由回数を乗算した値であり、
前記経由回数は、前記生体情報転送装置及び前記生体情報測定装置を稼働させる電池が交換された際には０に設定される、
請求項７に記載の生体情報処理システムにおける時刻同期方法。
【請求項９】
前記時刻同期判定ステップは、
前記生体情報測定装置の時刻レベルが０であり、前記生体情報転送装置の時刻レベルが０でない場合は、前記生体情報測定装置が前記生体情報転送装置の日時情報に較正すべきと判定し、
前記生体情報転送装置の時刻レベルが０であり、前記生体情報測定装置の時刻レベルが０でない場合は、前記生体情報転送装置が前記生体情報測定装置の日時情報に較正すべきと判定し、
前記生体情報転送装置と前記生体情報測定装置の時刻レベルが共に０である場合は、前記生体情報転送装置と前記生体情報測定装置の双方共に日時情報の較正を行わないものと判定する、
請求項８に記載の生体情報処理システムにおける時刻同期方法。
【請求項１０】
患者の生体情報を測定する１以上の生体情報測定装置と、
前記生体情報測定装置から前記生体情報と測定日時情報を受信して所定のホスト装置へ転送する生体情報転送装置と
よりなる生体情報処理システムであって、
前記生体情報測定装置は、
患者の物理的あるいは化学的状態や性質をアナログ信号として検出するセンサと、
前記センサが出力する前記アナログ信号をデジタルデータに変換するＡ／Ｄ変換器と、
前記デジタルデータを生体情報に変換する測定データ演算処理部と、
日時情報を計時するＲＴＣと、
前記生体情報が前記ＲＴＣが出力する測定日時情報と共に記憶される測定データメモリと、
前記測定データメモリに記憶されている前記生体情報と前記測定日時情報を前記生体情報転送装置へ送信する近距離無線通信部と、
前記生体情報転送装置または前記生体情報測定装置が前記ホスト装置から受信した正確な日時情報によって前記ＲＴＣが較正された時点の絶対較正日時と、前記生体情報転送装置から前記絶対較正日時を受信した時点の日時情報である絶対較正日時受信日時が記憶される経過時間メモリと、
正確な日時情報によって前記ＲＴＣが較正された前記生体情報転送装置または前記生体情報測定装置から出力された日時情報を受信するまでに前記生体情報転送装置及び／または前記生体情報測定装置を経由した回数である経由回数が記憶される経由回数メモリと、
前記ＲＴＣを指定された日時情報で較正する時刻情報更新処理部と、
前記絶対較正日時と前記経由回数を、前記近距離無線通信部を通じて前記生体情報転送装置に送信すると共に、前記生体情報転送装置が日時情報を要求した場合には、前記ＲＴＣから現在日時情報を読み出して前記生体情報転送装置に送信し、前記生体情報転送装置から日時情報と前記絶対較正日時と経由回数を受信した場合には、前記時刻情報更新処理部を通じて前記生体情報転送装置から受信した前記日時情報で前記ＲＴＣを較正し、前記生体情報転送装置から受信した前記絶対較正日時と前記日時情報を前記経過時間メモリに保存し、前記生体情報転送装置から受信した前記経由回数に１を加算した値を前記経由回数メモリに保存する入出力制御部と
を具備するものであり、
前記生体情報転送装置は、
前記生体情報測定装置から生体情報と測定日時情報を受信する近距離無線通信部と、
日時情報を計時するＲＴＣと、
前記生体情報測定装置から受信した前記生体情報と前記測定日時情報を記憶する測定データメモリと、
前記生体情報転送装置または前記生体情報測定装置が前記ホスト装置から受信した正確な日時情報によって前記ＲＴＣが較正された時点の絶対較正日時と、前記生体情報測定装置または前記ホスト装置から前記同期経過時間を受信した時点の日時情報である絶対較正日時受信日時が記憶される経過時間メモリと、
正確な日時情報によって前記ＲＴＣが較正された前記生体情報転送装置または前記生体情報測定装置から出力された日時情報を受信するまでに前記生体情報転送装置及び／または前記生体情報測定装置を経由した回数である経由回数が記憶される経由回数メモリと、
患者を一意に識別する患者ＩＤが記憶されている患者ＩＤメモリと、
前記ＲＴＣを指定された日時情報で較正する時刻情報更新処理部と、
前記生体情報測定装置に対し、前記生体情報測定装置の絶対較正日時と経由回数の送信を要求して、前記生体情報測定装置から前記絶対較正日時と前記経由回数を受信する入出力制御部と、
前記生体情報測定装置の、現在日時から受信した前記絶対較正日時を減算することで得られる同期経過時間に基づくレベル係数に受信した前記経由回数を乗算した値である相手時刻レベルと、前記ＲＴＣから取得した現在日時から前記絶対較正日時受信日時を減算することで得られる同期経過時間に基づくレベル係数に前記経由回数メモリに記憶されている前記経由回数を乗算した自分時刻レベルとをそれぞれ算出して比較し、前記相手時刻レベルが前記自分時刻レベルより小さい場合には、前記時刻情報更新処理部にて前記生体情報測定装置から受信した日時情報で前記ＲＴＣを較正する判定を行う時刻情報判定処理部と
を具備し、
前記生体情報転送装置の前記入出力制御部は更に、
前記相手時刻レベルが前記自分時刻レベルより大きい場合には、前記時刻情報判定処理部の判定結果に基づいて、前記ＲＴＣから現在日時情報を読み出して前記生体情報測定装置に送信し、
前記相手時刻レベルが前記自分時刻レベルより小さい場合には、前記時刻情報判定処理部の判定結果に基づいて、前記時刻情報更新処理部を通じて前記生体情報測定装置から受信した前記日時情報で前記ＲＴＣを較正し、受信した前記絶対較正日時と受信した前記日時情報を前記経過時間メモリに保存し、受信した前記経由回数に１を加算した値を前記経由回数メモリに保存するものである、
生体情報処理システム。
【請求項１１】
前記時刻レベルは、前記同期経過時間に基づくレベル係数に、前記経由回数を乗算した値であり、
前記経由回数は、前記生体情報転送装置及び前記生体情報測定装置を稼働させる電池が交換された際には０に設定される、
請求項１０に記載の生体情報処理システム。
【請求項１２】
前記時刻情報判定処理部は、
前記相手時刻レベルが０であり、前記自分時刻レベルが０でない場合は、前記生体情報測定装置が前記生体情報転送装置の日時情報に較正すべきと判定し、
前記自分時刻レベルが０であり、前記相手時刻レベルが０でない場合は、前記生体情報転送装置が前記生体情報測定装置の日時情報に較正すべきと判定し、
前記自分時刻レベルと前記相手時刻レベルが共に０である場合は、前記生体情報転送装置と前記生体情報測定装置の双方共に日時情報の較正を行わないものと判定する、
請求項１１に記載の生体情報処理システム。
【請求項１３】
患者の生体情報を測定する１以上の生体情報測定装置と、
前記生体情報測定装置から前記生体情報と測定日時情報を受信して所定のホスト装置へ転送する生体情報転送装置と
よりなる生体情報処理システムにおける生体情報測定装置であって、
前記生体情報測定装置は、
患者の物理的あるいは化学的状態や性質をアナログ信号として検出するセンサと、
前記センサが出力する前記アナログ信号をデジタルデータに変換するＡ／Ｄ変換器と、
前記デジタルデータを生体情報に変換する測定データ演算処理部と、
日時情報を計時するＲＴＣと、
前記生体情報が前記ＲＴＣが出力する測定日時情報と共に記憶される測定データメモリと、
前記測定データメモリに記憶されている前記生体情報と前記測定日時情報を前記生体情報転送装置へ送信する近距離無線通信部と、
前記生体情報転送装置または前記生体情報測定装置が前記ホスト装置から受信した正確な日時情報によって前記ＲＴＣが較正された時点の絶対較正日時と、前記生体情報転送装置から前記絶対較正日時を受信した時点の日時情報である絶対較正日時受信日時が記憶される経過時間メモリと、
正確な日時情報によって前記ＲＴＣが較正された前記生体情報転送装置または前記生体情報測定装置から出力された日時情報を受信するまでに前記生体情報転送装置及び／または前記生体情報測定装置を経由した回数である経由回数が記憶される経由回数メモリと、
前記ＲＴＣを指定された日時情報で較正する時刻情報更新処理部と、
前記絶対較正日時と前記経由回数を、前記近距離無線通信部を通じて前記生体情報転送装置に送信すると共に、前記生体情報転送装置が日時情報を要求した場合には、前記ＲＴＣから現在日時情報を読み出して前記生体情報転送装置に送信し、前記生体情報転送装置から日時情報と前記絶対較正日時と経由回数を受信した場合には、前記時刻情報更新処理部を通じて前記生体情報転送装置から受信した前記日時情報で前記ＲＴＣを較正し、前記生体情報転送装置から受信した前記絶対較正日時と前記日時情報を前記経過時間メモリに保存し、前記生体情報転送装置から受信した前記経由回数に１を加算した値を前記経由回数メモリに保存する入出力制御部と
を具備する、生体情報測定装置。
【請求項１４】
患者の生体情報を測定する１以上の生体情報測定装置と、
前記生体情報測定装置から前記生体情報と測定日時情報を受信して所定のホスト装置へ転送する生体情報転送装置と
よりなる生体情報処理システムにおける生体情報転送装置であって、
前記生体情報転送装置は、
前記生体情報測定装置から生体情報と測定日時情報を受信する近距離無線通信部と、
日時情報を計時するＲＴＣと、
前記生体情報測定装置から受信した前記生体情報と前記測定日時情報を記憶する測定データメモリと、
前記生体情報転送装置または前記生体情報測定装置が前記ホスト装置から受信した正確な日時情報によって前記ＲＴＣが較正された時点の絶対較正日時と、前記生体情報測定装置または前記ホスト装置から前記同期経過時間を受信した時点の日時情報である絶対較正日時受信日時が記憶される経過時間メモリと、
正確な日時情報によって前記ＲＴＣが較正された前記生体情報転送装置または前記生体情報測定装置から出力された日時情報を受信するまでに前記生体情報転送装置及び／または前記生体情報測定装置を経由した回数である経由回数が記憶される経由回数メモリと、
患者を一意に識別する患者ＩＤが記憶されている患者ＩＤメモリと、
前記ＲＴＣを指定された日時情報で較正する時刻情報更新処理部と、
前記生体情報測定装置に対し、前記生体情報測定装置の絶対較正日時と経由回数の送信を要求して、前記生体情報測定装置から前記絶対較正日時と前記経由回数を受信する入出力制御部と、
前記生体情報測定装置の、現在日時から受信した前記絶対較正日時を減算することで得られる同期経過時間に基づくレベル係数に受信した前記経由回数を乗算した値である相手時刻レベルと、前記ＲＴＣから取得した現在日時から前記絶対較正日時受信日時を減算することで得られる同期経過時間に基づくレベル係数に前記経由回数メモリに記憶されている前記経由回数を乗算した自分時刻レベルとをそれぞれ算出して比較し、前記相手時刻レベルが前記自分時刻レベルより小さい場合には、前記時刻情報更新処理部にて前記生体情報測定装置から受信した日時情報で前記ＲＴＣを較正する判定を行う時刻情報判定処理部と
を具備し、
前記入出力制御部は更に、
前記相手時刻レベルが前記自分時刻レベルより大きい場合には、前記時刻情報判定処理部の判定結果に基づいて、前記ＲＴＣから現在日時情報を読み出して前記生体情報測定装置に送信し、
前記相手時刻レベルが前記自分時刻レベルより小さい場合には、前記時刻情報判定処理部の判定結果に基づいて、前記時刻情報更新処理部を通じて前記生体情報測定装置から受信した前記日時情報で前記ＲＴＣを較正し、受信した前記絶対較正日時と受信した前記日時情報を前記経過時間メモリに保存し、受信した前記経由回数に１を加算した値を前記経由回数メモリに保存するものである、
生体情報転送装置。
【請求項１５】
患者の生体情報を測定する生体情報測定装置と、
前記生体情報測定装置から近距離無線通信にて前記生体情報と測定日時情報を受信して所定のホスト装置へ転送する生体情報転送装置と
よりなる生体情報処理システムにおける時刻同期方法であって、
前記生体情報転送装置から前記生体情報測定装置へ、正確な日時情報を提供する前記ホスト装置から転送された日時情報が、前記生体情報転送装置及び／または前記生体情報測定装置を経由した回数である経由回数と、前記生体情報転送装置が前記ホスト装置から日時情報の提供を受けた時点の絶対較正日時とを要求する、経由回数・絶対較正日時要求ステップと、
前記生体情報測定装置から前記生体情報転送装置へ、前記経由回数と、前記生体情報測定装置自体の前記絶対較正日時を送信する、経由回数・絶対較正日時送信ステップと、
前記生体情報測定装置から前記経由回数と前記絶対較正日時を受信した前記生体情報転送装置が、前記経由回数と、現在日時から前記生体情報測定装置の前記絶対較正日時を減算することで得られる同期経過時間に基づいて前記生体情報測定装置の時刻レベルである相手側時刻レベルを算出し、前記生体情報転送装置自体の経由回数及び現在日時から前記生体情報転送装置の前記絶対較正日時を減算することで得られる同期経過時間に基づいて前記生体情報転送装置の時刻レベルである自分側時刻レベルを算出して、前記相手側時刻レベルと前記自分側時刻レベルを比較することで、前記生体情報転送装置と前記生体情報測定装置のどちらが時刻を較正すべきであるかを判定する、時刻同期判定ステップと、
前記時刻同期判定ステップにおいて、前記生体情報測定装置が前記生体情報転送装置の日時情報に較正すべきと判定したら、前記生体情報転送装置から前記生体情報測定装置へ、日時情報と、前記生体情報転送装置自体の経由回数と、前記生体情報転送装置自体の前記絶対較正日時を送信する、日時・経由回数・絶対較正日時送信ステップと、
前記日時・経由回数・絶対較正日時送信ステップを経て、前記生体情報測定装置が前記生体情報転送装置から受信した日時情報で前記生体情報測定装置のＲＴＣを較正し、前記生体情報転送装置から受信した前記生体情報転送装置自体の経由回数に１を加算して前記生体情報測定装置の経由回数として保存し、前記生体情報転送装置から受信した前記絶対較正日時を前記生体情報測定装置の絶対較正日時として保存する、生体情報測定装置較正ステップと
を有する、生体情報処理システムにおける時刻同期方法。
【請求項１６】
更に、
前記時刻同期判定ステップにおいて、前記生体情報転送装置が前記生体情報測定装置の日時情報に較正すべきと判定したら、前記生体情報転送装置から前記生体情報測定装置へ、日時情報の送信を要求する、日時情報要求ステップと、
前記日時情報要求ステップを経て、前記生体情報測定装置が前記生体情報転送装置から受信した前記日時情報の送信の要求を受けて、前記生体情報測定装置から前記生体情報転送装置へ日時情報を送信する、日時情報送信ステップと、
前記日時情報送信ステップを経て、前記生体情報転送装置が前記生体情報測定装置から受信した日時情報で前記生体情報転送装置のＲＴＣを較正し、前記経由回数・絶対較正日時要求ステップにおいて前記生体情報測定装置から受信した前記生体情報測定装置自体の経由回数に１を加算して前記生体情報転送装置の経由回数として保存し、前記経由回数・絶対較正日時要求ステップにおいて前記生体情報測定装置から受信した前記生体情報測定装置自体の前記絶対較正日時を前記生体情報転送装置の絶対較正日時として保存する、生体情報転送装置較正ステップと
を有する、請求項１５に記載の生体情報処理システムにおける時刻同期方法。
【請求項１７】
前記時刻レベルは、前記同期経過時間に基づくレベル係数に、前記経由回数を乗算した値であり、
前記経由回数は、前記生体情報転送装置及び前記生体情報測定装置を稼働させる電池が交換された際には０に設定される、
請求項１６に記載の生体情報処理システムにおける時刻同期方法。
【請求項１８】
前記時刻同期判定ステップは、
前記生体情報測定装置の時刻レベルが０であり、前記生体情報転送装置の時刻レベルが０でない場合は、前記生体情報測定装置が前記生体情報転送装置の日時情報に較正すべきと判定し、
前記生体情報転送装置の時刻レベルが０であり、前記生体情報測定装置の時刻レベルが０でない場合は、前記生体情報転送装置が前記生体情報測定装置の日時情報に較正すべきと判定し、
前記生体情報転送装置と前記生体情報測定装置の時刻レベルが共に０である場合は、前記生体情報転送装置と前記生体情報測定装置の双方共に日時情報の較正を行わないものと判定する、
請求項１７に記載の生体情報処理システムにおける時刻同期方法。
【発明の詳細な説明】
【技術分野】
【０００１】
本発明は、生体情報処理システム、生体情報測定装置、生体情報転送装置及び生体情報処理システムにおける時刻同期方法に関する。
より詳細には、複数の生体情報測定装置から生体情報を収集して、所定のホスト装置へ転送する、生体情報処理システムと、これに用いる生体情報測定装置、生体情報転送装置、そして時刻同期方法に関する。
なお、本明細書において、生体情報とは、血糖計が測定する血糖値、体温計が測定する体温、血圧計が測定する血圧、体動量計が測定する体動量、パルスオキシメータが測定する経皮的動脈血酸素飽和度（ＳｐＯ２）、体組成計が測定する体重及び体脂肪率等の、患者の物理的あるいは化学的な状態や性質を示す値であるものと定義する。また、血糖計、体温計、パルスオキシメータ、体動量計、血圧計、体組成計等、患者の生体情報を測定する機器を、生体情報測定装置と総称する。
【背景技術】
【０００２】
周知のように、糖尿病は膵臓のインスリン分泌異常やインスリンに対する感受性低下に起因する。特にインスリン分泌が停止した１型の糖尿病患者の場合は、食事前に血糖値を測定し、その値に応じてインスリンを投与する必要がある。
従来、家庭内で患者自ら或はその家族が血糖値を簡便に測定するために、出願人は、小型で自己測定を目的とした血糖値測定装置（以下「血糖計」）を開発し、製造販売している。
【０００３】
糖尿病とは、現代の医療技術では完治がほぼ不可能な病気であり、糖尿病患者に対する治療は、できるだけ病状の悪化進行を食い止めることが行われている。具体的には、インスリン投与の他、食事を始めとする生活習慣を管理し、健康的で規則正しい生活を維持継続させること（ＱＯＬ（Quality of Life）の維持）である。このためには、患者が健康的で規則正しい生活を維持しているのか否かを患者の担当医師がモニタリングする必要がある。血糖計だけでは、患者が健康的で規則正しい生活を維持しているのか否かをモニタリングすることは困難である。
そこで出願人は、血糖計以外にも、外来通院する糖尿病患者が健康的で規則正しい生活を維持継続するために必要な、様々な生体情報測定装置を製造販売している。生体情報測定装置の一例としては、体温計、体組成計、血圧計、パルスオキシメータ、体動量計等である。
【０００４】
担当医師は、患者が複数の生体情報測定装置で測定した様々な生体情報を収集して、診断を行う必要がある。血糖計や体動量計等の、小型の生体情報測定装置であれば、患者が担当医師の居る医院に通院する際にそれら生体情報測定装置を直接持参することも可能であるが、血圧計や体組成計のような大型の生体情報測定装置の場合はそうも行かない。そこで出願人は、複数の生体情報測定装置が測定した生体情報を一元的に収集するデータカードを開発した。
複数の生体情報測定装置に記憶されている、測定された患者の生体情報を、近距離無線通信にてデータカードに転送する。患者は担当医師のいる医院に通院する際、このデータカードだけ持参すればよい。そして、担当医師が所有するパソコンに、データカードに記憶された複数の生体情報測定装置の生体情報を、予めデータカードに記憶されている患者の患者ＩＤと共に転送する。
特許文献１には、このデータカードに関する技術内容が開示されている。特許文献１は、病棟におけるデータカードの実施形態を開示しているが、出願人はこれを通院患者向けに仕様変更したデータカードも製造販売している。
【０００５】
複数の生体情報測定装置に記憶されている、測定された患者の生体情報を、データカードを通じて担当医師のパソコンに読み込ませる、ということから、患者ＩＤと紐付けられているデータカードを用いて、パソコン上で患者の電子カルテと測定された患者の生体情報を紐付けることが可能になる。担当医師のパソコンにおいて電子カルテと測定された患者の生体情報を紐付けた際、複数の生体情報測定装置にて測定された患者の生体情報が、正確な日時で測定されている必要がある。つまり、マイコンを構成要素とする個々の生体情報測定装置に内蔵されているリアルタイムクロック（Real Time Clock、以下「ＲＴＣ」）が、正確であることが求められる。測定された生体情報に付帯する測定日時が不正確では、担当医師が患者に対し、正しい診断をする際の支障になる。
一方、生体情報測定装置の構成要素であるＲＴＣは、電池の交換等で容易に狂ってしまう。そこで出願人は、インターネットに接続されていることで正確な日時を保っている担当医師のパソコンと、データカードが近距離無線通信を行う際に、データカードがパソコンから正確な日時情報を貰い、ＲＴＣを較正することを発案した。
特許文献２には、このデータカードがパソコンから正確な日時情報を貰ってＲＴＣを較正し、更に生体情報測定装置がデータカードから正確な日時情報を貰ってＲＴＣを較正する技術内容が開示されている。
【先行技術文献】
【特許文献】
【０００６】
【特許文献１】特開２０１５−１８７８０４号公報
【特許文献２】特許第５８７７９０５号公報
【発明の概要】
【発明が解決しようとする課題】
【０００７】
日時情報を計時するＲＴＣは、時間の経過につれて徐々に誤差が大きくなる。特許文献２には、常時ネットワークに接続されていないデータカードと生体情報測定装置のＲＴＣが出力する日時情報が、どの程度正確であるのかを客観的に判断する指標がなかった。
【０００８】
本発明はかかる課題を解決し、生体情報転送装置と生体情報測定装置がそれぞれ備えるＲＴＣの信頼性を客観的に判断し、より信頼性の高いＲＴＣの日時情報に較正することで、測定する生体情報に付随する日時情報の信頼性を向上する、生体情報処理システム、生体情報測定装置、生体情報転送装置及び生体情報処理システムにおける時刻同期方法を提供することを目的とする。
【課題を解決するための手段】
【０００９】
上記課題を解決するために、本発明の生体情報処理システムは、患者の生体情報を測定する１以上の生体情報測定装置と、生体情報測定装置から生体情報と測定日時情報を受信して所定のホスト装置へ転送する生体情報転送装置とよりなる。
生体情報測定装置は、患者の物理的あるいは化学的状態や性質をアナログ信号として検出するセンサと、センサが出力するアナログ信号をデジタルデータに変換するＡ／Ｄ変換器と、デジタルデータを生体情報に変換する測定データ演算処理部と、日時情報を計時するＲＴＣと、生体情報がＲＴＣが出力する測定日時情報と共に記憶される測定データメモリと、測定データメモリに記憶されている生体情報と測定日時情報を生体情報転送装置へ送信する近距離無線通信部と、生体情報転送装置または生体情報測定装置がホスト装置から受信した正確な日時情報によってＲＴＣが較正された時点の日時から経過した時間である同期経過時間と、生体情報転送装置から同期経過時間を受信した時点の日時情報である同期経過時間受信日時が記憶される経過時間メモリと、正確な日時情報によってＲＴＣが較正された生体情報転送装置または生体情報測定装置から出力された日時情報を受信するまでに生体情報転送装置及び／または生体情報測定装置を経由した回数である経由回数が記憶される経由回数メモリと、ＲＴＣを指定された日時情報で較正する時刻情報更新処理部とを具備する。
【００１０】
更に、現在日時から同期経過時間受信日時を減算した直前経過時間を同期経過時間に加算した送信用同期経過時間と、経由回数を、近距離無線通信部を通じて生体情報転送装置に送信すると共に、生体情報転送装置が日時情報を要求した場合には、ＲＴＣから現在日時情報を読み出して生体情報転送装置に送信し、生体情報転送装置から日時情報と同期経過時間と経由回数を受信した場合には、時刻情報更新処理部を通じて生体情報転送装置から受信した日時情報でＲＴＣを較正し、生体情報転送装置から受信した同期経過時間と日時情報を経過時間メモリに保存し、生体情報転送装置から受信した経由回数に１を加算した値を経由回数メモリに保存する入出力制御部とを具備する。
【００１１】
また、生体情報転送装置は、生体情報測定装置から生体情報と測定日時情報を受信する近距離無線通信部と、日時情報を計時するＲＴＣと、生体情報測定装置から受信した生体情報と測定日時情報を記憶する測定データメモリと、生体情報転送装置または生体情報測定装置がホスト装置から受信した正確な日時情報によってＲＴＣが較正された時点の日時から経過した時間である同期経過時間と、生体情報測定装置またはホスト装置から同期経過時間を受信した時点の日時情報である同期経過時間受信日時が記憶される経過時間メモリと、正確な日時情報によってＲＴＣが較正された生体情報転送装置または生体情報測定装置から出力された日時情報を受信するまでに生体情報転送装置及び／または生体情報測定装置を経由した回数である経由回数が記憶される経由回数メモリとを具備する。
【００１２】
更に、患者を一意に識別する患者ＩＤが記憶されている患者ＩＤメモリと、ＲＴＣを指定された日時情報で較正する時刻情報更新処理部と、生体情報測定装置に対し、生体情報測定装置の同期経過時間と経由回数の送信を要求して、生体情報測定装置から同期経過時間と経由回数を受信する入出力制御部と、生体情報測定装置の、受信した同期経過時間に基づくレベル係数に受信した経由回数を乗算した値である相手時刻レベルと、ＲＴＣから取得した現在日時から同期経過時間受信日時を減算した値を同期経過時間に加算した新たな同期経過時間に基づくレベル係数に経由回数メモリに記憶されている経由回数を乗算した自分時刻レベルとをそれぞれ算出して比較し、相手時刻レベルが自分時刻レベルより小さい場合には、時刻情報更新処理部にて生体情報測定装置から受信した日時情報でＲＴＣを較正する判定を行う時刻情報判定処理部とを具備する。
【００１３】
そして生体情報転送装置の入出力制御部は更に、相手時刻レベルが自分時刻レベルより大きい場合には、時刻情報判定処理部の判定結果に基づいて、ＲＴＣから現在日時情報を読み出して生体情報測定装置に送信し、相手時刻レベルが自分時刻レベルより小さい場合には、時刻情報判定処理部の判定結果に基づいて、時刻情報更新処理部を通じて生体情報測定装置から受信した日時情報でＲＴＣを較正し、受信した同期経過時間と受信した日時情報を経過時間メモリに保存し、受信した経由回数に１を加算した値を経由回数メモリに保存するものである。
【発明の効果】
【００１４】
本発明により、生体情報転送装置と生体情報測定装置がそれぞれ備えるＲＴＣの信頼性を客観的に判断し、より信頼性の高いＲＴＣの日時情報に較正することで、測定する生体情報に付随する日時情報の信頼性を向上する、生体情報処理システム、生体情報測定装置、生体情報転送装置及び生体情報処理システムにおける時刻同期方法を提供することができる。
上記した以外の課題、構成及び効果は、以下の実施形態の説明により明らかにされる。
【図面の簡単な説明】
【００１５】
【図１】本発明の実施形態に係る、生体情報処理システムの概略図である。
【図２】生体情報測定装置のハードウェア構成を示すブロック図である。
【図３】生体情報測定装置のソフトウェア機能を示すブロック図である。
【図４】データカードのハードウェア構成を示すブロック図である。
【図５】データカードのソフトウェア機能を示すブロック図である。
【図６】生体情報測定装置及びデータカードの、全体の処理の流れを示すフローチャートである。
【図７】生体情報測定装置及びデータカードの、電源投入時初期化処理の流れを示すフローチャートである。
【図８】生体情報測定装置の、通常動作処理の流れを示すフローチャートである。
【図９】データカードの、通常動作処理の流れを示すフローチャートである。
【図１０】生体情報測定装置の、通信処理の流れを示すフローチャートである。
【図１１】データカードの、通信処理の流れを示すフローチャートである。
【図１２】生体情報測定装置とデータカードとの、時刻同期を実施しない場合と、データカードがＲＴＣ較正を実施する場合と、生体情報測定装置がＲＴＣ較正を実施する場合における、日時データ送受信のやり取りを示すタイムチャートである。
【図１３】データカードの時刻同期処理の流れを示すフローチャートである。
【図１４】データカードの時刻較正処理の流れを示すフローチャートである。
【図１５】データカード及び生体情報測定装置の時刻等送信処理の流れを示すフローチャートである。
【図１６】生体情報測定装置の時刻同期処理の流れを示すフローチャートである。
【発明を実施するための形態】
【００１６】
［全体構成］
図１は、本発明の実施形態の例である生体情報処理システム１０１の概略図である。
患者１０２は、日々の生活において、血糖計１０３にて血糖値を測定し、体温計１０４にて体温を測定し、パルスオキシメータ１０５にて経皮的動脈血酸素飽和度（ＳｐＯ２）を測定し、体動量計１０６で体動量を測定し、血圧計１０７で血圧を測定し、体組成計１０８で体重及び体脂肪率等を測定する。
これら、血糖計１０３、体温計１０４、パルスオキシメータ１０５、体動量計１０６、血圧計１０７、体組成計１０８等、患者１０２の生体情報を測定する機器を、生体情報測定装置１０９と総称する。
次に、患者１０２は掛かり付けの病院に通院する直前に、各々の生体情報測定装置１０９に、データカード１１０を近接させて、生体情報測定装置１０９が測定した患者１０２の生体情報をデータカード１１０に転送する。そして、このデータカード１１０を病院に持参する。
患者１０２の担当医師は、患者１０２からデータカード１１０を受け取ると、ホスト装置であるパソコン１１１に接続されたカードリーダ１１２にデータカード１１０を近接させて、データカード１１０に蓄積された患者１０２の生体情報を担当医師のパソコン１１１に転送する。
データカード１１０は、生体情報測定装置１０９に記憶されている生体情報を担当医師のパソコン１１１に転送する、生体情報転送装置ともいえる。
【００１７】
パソコン１１１にはＯＳと、電子カルテプログラムが稼働している。電子カルテプログラムは、データカード１１０を通じてカードリーダ１１２から患者１０２の生体情報を読み取り、パソコン１１１内部の不揮発性ストレージに記憶する。
パソコン１１１はインターネット１１３に接続されている。ＯＳのネットワーク接続機能により、パソコン１１１はインターネット１１３を通じて、ＮＴＰサーバ１１４（Network Time Protocol）等から正確な日時情報を受け取り、パソコン１１１内部のＲＴＣとＯＳ自身の計時機能を較正している。したがって、パソコン１１１自身はインターネット１１３に接続されている状況において、日時情報の正確性が担保されている。
【００１８】
一方、データカード１１０はパソコン１１１と違い、インターネット１１３に接続されていない。しかし、パソコン１１１と近距離無線通信を行ってパソコン１１１に患者１０２の生体情報を送信する際、併せてパソコン１１１から日時情報を受け取り、データカード１１０内部のＲＴＣを較正することで、ＲＴＣをできるだけ正確に維持することが可能になる。
更に、生体情報測定装置１０９もデータカード１１０と同様に、インターネット１１３に接続されていない。しかし、パソコン１１１から正確な日時情報を貰ってＲＴＣを較正したデータカード１１０と近距離無線通信を行ってデータカード１１０に患者１０２の生体情報を送信する際、併せてデータカード１１０から日時情報を受け取り、生体情報測定装置１０９内部のＲＴＣを較正することで、ＲＴＣをできるだけ正確に維持することが可能になる。
【００１９】
糖尿病患者である患者１０２が通院する間隔は、凡そ数日から数週間程度である。その間、データカード１１０と生体情報測定装置１０９は、パソコン１１１から正確な日時情報を受信できない状態が続く。つまり、データカード１１０と生体情報測定装置１０９は、正確な日時情報を受信した時点から、時間の経過と共にその正確性が低下する。
また、データカード１１０と生体情報測定装置１０９は、一旦電池が抜かれると、内部のＲＴＣの動作が停止する。再び電池を挿入すると、ＲＴＣは再度動作し始めるが、データカード１１０と生体情報測定装置１０９には手動の日時較正機能を持たないものが多いので、再びパソコン１１１から正確な日時情報を受信するまでは、日時情報が不正確な状態が続く。
【００２０】
もし、データカード１１０と生体情報測定装置１０９がパソコン１１１から正確な日時情報を受信した後、データカード１１０だけ電池を交換した場合、データカード１１０より生体情報測定装置１０９の方が、ＲＴＣが計時する日時情報がより正確であると判断できる。
これより説明する実施形態は、データカード１１０と生体情報測定装置１０９の相互で、日時情報の正確性を客観的に判断するための指標となる情報を送受信して、より正確な日時情報でＲＴＣを較正する技術である。
【００２１】
［生体情報測定装置１０９：ハードウェア］
図２は、生体情報測定装置１０９のハードウェア構成を示すブロック図である。
電池２０１によって稼働する生体情報測定装置１０９は、ＣＰＵ２０２、ＲＯＭ２０３、ＲＡＭ２０４、液晶ディスプレイ等の表示部２０５、操作ボタン等の操作部２０６、フラッシュメモリ等の不揮発性ストレージ２０７がバス２０８に接続されている。バス２０８にはこの他に、センサ２０９が出力するアナログ電圧信号をデジタルデータに変換するＡ／Ｄ変換器２１０、ＲＴＣ２１１、測定した患者１０２の生体情報をデータカード１１０へ送信すると共にデータカード１１０等から較正のための日時情報を送受信する近距離無線通信部２１２、そして電源スイッチ２１３が接続されている。
センサ２０９は、患者１０２の物理的あるいは化学的な状態や性質を、アナログ電圧信号として出力する。例えば、血糖計１０３やパルスオキシメータ１０５であればフォトトランジスタ等の光センサであり、体温計１０４であればサーミスタ等の温度センサである。
近距離無線通信部２１２は、通信対象同士を数ｃｍ以下に近接させて無線通信を行う機能を提供する。例えばＦｅｌｉＣａ（登録商標）やＺｉｇＢｅｅ（登録商標）等が利用可能である。
多くの場合、ＣＰＵ２０２、ＲＯＭ２０３、ＲＡＭ２０４、不揮発性ストレージ２０７、Ａ／Ｄ変換器２１０及びＲＴＣ２１１は周知のワンチップマイコンに内蔵される構成要素であり、ＲＯＭ２０３と不揮発性ストレージ２０７はフラッシュメモリで一体化されている。ＲＯＭ２０３には、マイコンを生体情報測定装置１０９として稼働させるためのプログラムと、後述する日時較正機能を実現するためのプログラムが格納されている。
【００２２】
［生体情報測定装置１０９：ソフトウェア］
図３は、生体情報測定装置１０９のソフトウェア機能を示すブロック図である。
センサ２０９が出力するアナログ電圧信号はＡ／Ｄ変換器２１０によってデジタルデータに変換される。そして、デジタルデータは測定データ演算処理部２２１によって所定の生体情報に変換される。生体情報は、ＲＴＣ２１１から出力される、生体情報が測定された時点の日時情報（測定日時情報）と共に、入出力制御部２２２の機能である測定データ入出力処理部２２３を通じて、不揮発性ストレージ２０７に設けられる測定データメモリ２２４に記憶される。測定データメモリ２２４に記憶される生体情報と測定日時情報は、測定データ入出力処理部２２３を通じて、近距離無線通信部２１２からデータカード１１０等へ送信される。これら、測定データ演算処理部２２１、測定データメモリ２２４、近距離無線通信部２１２との間の生体情報のやり取りは、測定データ入出力処理部２２３によって行われる。生体情報の測定の際、入出力制御部２２２は、操作部２０６の操作に呼応して様々な機能を実現し、必要に応じて表示部２０５に生体情報の測定の指示や測定値等、種々の情報を表示する。
【００２３】
電源投入時初期化処理部２２５は、電池２０１が挿入されたことに呼応して、最初の１回だけ稼働する。この、電源投入時初期化処理部２２５の詳細は図６及び図７にて後述する。
時刻情報更新処理部２２６はＲＴＣ２１１をデータカード１１０等から受信した日時情報に較正する。
【００２４】
不揮発性ストレージ２０７には、測定データメモリ２２４の他、経過時間メモリ２２７と経由回数メモリ２２８が設けられている。入出力制御部２２２が、日時情報の他に、近距離無線通信部２１２を通じてデータカード１１０等から送受信する情報が、経過時間メモリ２２７に記憶される同期経過時間と同期経過時間受信日時と、経由回数メモリ２２８に記憶される経由回数である。
同期経過時間とは、最も正確な日時情報を提供する、インターネット１１３に接続されている担当医師のパソコン１１１から、データカード１１０または生体情報測定装置１０９が正確な日時情報を受信した時から経過した時間である。
同期経過時間受信日時とは、データカード１１０または生体情報測定装置１０９が、相手から同期経過時間を受信した時点の日時情報である。
例えば、２０１６年１０月１日１０時３５分に、データカード１１０が担当医師のパソコン１１１から正確な日時情報を受信すると、その時点の同期経過時間は０時間０分０秒であり、その時点の同期経過時間受信日時が２０１６年１０月１日１０時３５分である。これら同期経過時間と同期経過時間受信日時が、データカード１１０の経過時間メモリ２２７に記憶される。
そして、２０１６年１０月２日９時３０分に、生体情報測定装置１０９がデータカード１１０から日時情報を受信すると、その時点の同期経過時間は、２０１６年１０月２日９時３０分−２０１６年１０月１日１０時３５分＝２２時間５５分であり、その時点の同期経過時間受信日時が２０１６年１０月２日９時３０分である。これら同期経過時間と同期経過時間受信日時が、生体情報測定装置１０９の経過時間メモリ２２７に記憶される。
【００２５】
経由回数とは、担当医師のパソコン１１１からデータカード１１０または生体情報測定装置１０９へ、データカード１１０または生体情報測定装置１０９から任意の相手へ、日時情報を受信した際の、経由回数である。
例えば、２０１６年１０月１日１０時３５分に、データカード１１０が担当医師のパソコン１１１から正確な日時情報を受信すると、その時点の経由回数は１回である。
そして、２０１６年１０月２日９時３０分に生体情報測定装置１０９が、経由回数が１回であるデータカード１１０から日時情報を受信すると、その時点の経由回数は２回である。
但し、データカード１１０及び生体情報測定装置１０９の何れも、一旦電池２０１を抜いて再度挿入すると、経由回数は０回に設定される。
つまり、経由回数とは、日時情報がパソコン１１１から幾つの機器を経由して転送されてきたのかを示すカウンタ変数であると共に、電池２０１が抜かれてＲＴＣ２１１が初期化されてしまったか否かを示すフラグ情報でもある。この経由回数が、生体情報測定装置１０９の経由回数メモリ２２８に記憶される。
【００２６】
［データカード１１０：ハードウェア］
図４は、データカード１１０のハードウェア構成を示すブロック図である。
データカード１１０の、生体情報測定装置１０９とのハードウェア上における相違点は、センサ２０９とＡ／Ｄ変換器２１０がないことである。また、ＲＯＭ２０３には、マイコンをデータカード１１０として稼働させるためのプログラムと、後述する日時較正機能を実現するためのプログラムが格納されている。それ以外にハードウェア上における顕著な相違点はなく、各々のブロックが有する機能は図２に示した生体情報測定装置１０９と実質的に等しいので、同じ符号を付して、詳細な説明を割愛する。
【００２７】
［データカード１１０：ソフトウェア］
図５は、データカード１１０のソフトウェア機能を示すブロック図である。
データカード１１０の、生体情報測定装置１０９とのソフトウェア上における相違点を以下に列挙する。
・センサ２０９とＡ／Ｄ変換器２１０と測定データ演算処理部２２１がないこと。
・不揮発性ストレージ２０７に設けられる、患者１０２を一意に識別する患者ＩＤが記憶されている患者ＩＤメモリ３０１があること。
・測定データメモリ３０２には複数の生体情報測定装置１０９から受信した患者１０２の生体情報が記憶されていること。
・測定データ入出力処理部３０３が、近距離無線通信部２１２を通じて生体情報測定装置１０９から患者１０２の生体情報を測定データメモリ３０２へ記憶し、近距離無線通信部２１２を通じて測定データメモリ３０２から患者１０２の生体情報を担当医師のパソコン１１１へ転送すること。
・時刻情報判定処理部３０４が設けられていること。
なお、表示部２０５に表示する表示内容や、操作部２０６の形態や操作情報等が異なることもあるが、発明の主旨とは余り関係がないので詳細な説明を割愛する。
一方、入出力制御部３０５の機能の一部である電源投入時初期化処理部２２５及び時刻情報更新処理部２２６と、経過時間メモリ２２７、経由回数メモリ２２８は、生体情報測定装置１０９とデータカード１１０とでその内容と機能が全く同じであるので、同一の符号を付している。
【００２８】
時刻情報判定処理部３０４は、近距離無線通信部２１２を通じて生体情報測定装置１０９等と、日時情報とこれに付随する情報の送受信を行い、相手側と自分とのどちらがより正確性が高い日時情報であるかを判定する。
時刻情報判定処理部３０４が、相手側の日時情報がより正確であると判定した場合、時刻情報更新処理部２２６はＲＴＣ２１１を受信した日時情報に較正する。
時刻情報判定処理部３０４が、自分側の日時情報がより正確であると判定した場合、入出力制御部３０５は現在日時データを相手側機器へ送信する。
【００２９】
［生体情報測定装置１０９及びデータカード１１０：全体の処理］
これより、図６から図１６にかけて、生体情報測定装置１０９とデータカード１１０について、その処理の流れを説明する。
図６は、生体情報測定装置１０９及びデータカード１１０の、全体の処理の流れを示すフローチャートである。ここでは、データカード１１０を対象として説明するが、生体情報測定装置１０９も全く同じ処理である。
電池２０１が図示しない電池ホルダに挿入され、ＣＰＵ２０２がＲＯＭ２０３からプログラムを読み込み、実行を開始すると（Ｓ６０１）、先ず、入出力制御部３０５は電源投入時初期化処理を実行する（Ｓ６０２）。
【００３０】
ステップＳ６０２を実行した後、データカード１１０はスタンバイ状態に移行する。そして、電源スイッチ２１３が長押しされたか否かを確認する（Ｓ６０３）。電源スイッチ２１３が長押しされていなければ（Ｓ６０４のＮＯ）、電源スイッチ２１３の監視を続ける（Ｓ６０３）。
スタンバイ状態とは、ワンチップマイコンに内蔵される図示しないシステムクロックの周波数を大幅に低下させ、生体情報測定装置１０９におけるＡ／Ｄ変換器２１０、表示部２０５、操作部２０６に対する電源供給を止め、電源スイッチ２１３が押されたか否かだけを見る、極めて電力消費が少ない状態である。外見的には電源オフの状態に見えるが、入出力制御部３０５の動作は停止してはおらず、電源スイッチ２１３を長押しすることで、通常状態に移行する。
【００３１】
電源スイッチ２１３が長押しされたならば（Ｓ６０４のＹＥＳ）、入出力制御部３０５は通常動作状態に移行し、通常動作処理を実行する（Ｓ６０５）。通常動作処理が終了したら、入出力制御部３０５は再びスタンバイ状態に移行し、電源スイッチ２１３の監視を継続する（Ｓ６０３）。
図６のフローチャートを見るとわかるように、この処理は電池２０１が抜かれるか、電池２０１が消耗して電源供給が断たれるまで、処理は永遠に継続する。
【００３２】
図７は、生体情報測定装置１０９及びデータカード１１０の、電源投入時初期化処理の流れを示すフローチャートである。図６のステップＳ６０２の詳細である。ここでは、データカード１１０を対象として説明するが、生体情報測定装置１０９も全く同じ処理である。
処理を開始すると（Ｓ７０１）、入出力制御部３０５は時刻情報更新処理部２２６を通じて、ＲＴＣ２１１の初期化処理を実行する（Ｓ７０２）。この処理によって、ＲＴＣ２１１は強制的に初期化時間に初期化される。初期化時間とは例えば、ＰＯＳＩＸ時間（１９７０年１月１日０時０分ＧＭＴ）や、予め定めた所定の日時（２０００年１月１日０時０分ＪＳＴ）等である。
次に入出力制御部３０５は、経由回数メモリ２２８に記憶される経由回数を０に、経過時間メモリ２２７に記憶される同期経過時間を０時間０分０秒に、また同期経過時間受信日時を前述の初期化時間に初期化して（Ｓ７０３）、一連の処理を終了する（Ｓ７０４）。
【００３３】
［生体情報測定装置１０９：通常動作処理］
図８は、生体情報測定装置１０９の、通常動作処理の流れを示すフローチャートである。図６のステップＳ６０５の、生体情報測定装置１０９における詳細である。
処理を開始すると（Ｓ８０１）、入出力制御部２２２は通常動作時における所定の初期化処理を実行した後（Ｓ８０２）、操作部２０６から得られる操作情報と、近距離無線通信部２１２から得られる通信情報を監視する（Ｓ８０３）。
入出力制御部２２２は先ず、近距離無線通信部２１２が有効な通信相手との通信が可能な状態にあるか否かを確認する（Ｓ８０４）。そして、近距離無線通信部２１２が有効な通信相手との通信が可能な状態にあることを検出したら（Ｓ８０４のＹＥＳ）、入出力制御部２２２は通信処理を実行する（Ｓ８０５）。そして、再び操作部２０６から得られる操作情報と、近距離無線通信部２１２から得られる通信情報を監視する（Ｓ８０３）。
【００３４】
ステップＳ８０４において、近距離無線通信部２１２が有効な通信相手を検出できなかったら（Ｓ８０４のＮＯ）、次に入出力制御部２２２は、操作部２０６から得られる操作情報が生体情報の測定を実行することを示す情報であるか否かを確認する（Ｓ８０６）。そして、操作部２０６から得られる操作情報が生体情報の測定を実行することを示す情報であるならば（Ｓ８０６のＹＥＳ）、入出力制御部２２２は測定処理を実行する（Ｓ８０７）。そして、再び操作部２０６から得られる操作情報と、近距離無線通信部２１２から得られる通信情報を監視する（Ｓ８０３）。
【００３５】
ステップＳ８０６において、操作部２０６から得られる操作情報が生体情報の測定を実行することを示す情報でなかったら（Ｓ８０６のＮＯ）、次に入出力制御部２２２は、電源スイッチ２１３が長押しされたか否かを確認する（Ｓ８０８）。そして、電源スイッチ２１３が長押しされたならば（Ｓ８０８のＹＥＳ）、入出力制御部２２２は通常動作状態からスタンバイ状態に移行するための所定の終了処理を実行した後（Ｓ８０９）、一連の処理を終了する（Ｓ８１０）。
ステップＳ８０８において、電源スイッチ２１３が長押しされたのでなかったら（Ｓ８０８のＮＯ）、次に入出力制御部２２２は、操作部２０６または近距離無線通信部２１２から有効な情報の入出力がない状態で所定の時間が経過したか否か、すなわち所定の時間以上放置されたか否か（タイムアウト）を確認する（Ｓ８１１）。そして、所定の時間以上放置されたならば（Ｓ８１１のＹＥＳ）、入出力制御部２２２は通常動作状態からスタンバイ状態に移行するための所定の終了処理を実行した後（Ｓ８０９）、一連の処理を終了する（Ｓ８１０）。
ステップＳ８１１において、所定の時間以上放置されたのでなければ（Ｓ８１１のＮＯ）、入出力制御部２２２は再び操作部２０６から得られる操作情報と、近距離無線通信部２１２から得られる通信情報を監視する（Ｓ８０３）。
【００３６】
［データカード１１０：通常動作処理］
図９は、データカード１１０の、通常動作処理の流れを示すフローチャートである。図６のステップＳ６０５の、データカード１１０における詳細である。
データカード１１０の、生体情報測定装置１０９との、通常動作処理における相違点は、図８におけるステップＳ８０６及びＳ８０７に示す測定処理がないことである。これ以外は図８の処理内容と全く同じであるので、詳細は割愛する。
図８と図９の、フローチャートの符号の対応関係を以下に記す。
図８のステップＳ８０１は図９のステップＳ９０１に、Ｓ８０２はＳ９０２に、Ｓ８０３はＳ９０３に、Ｓ８０４はＳ９０４に、Ｓ８０５はＳ９０５に、Ｓ８０８はＳ９０６に、Ｓ８０９はＳ９０７に、Ｓ８１０はＳ９０８に、Ｓ８１１はＳ９０９に、それぞれ対応する。
【００３７】
［生体情報測定装置１０９：通信処理］
図１０は、生体情報測定装置１０９の、通信処理の流れを示すフローチャートである。図８のステップＳ８０５の詳細である。
処理を開始すると（Ｓ１００１）、入出力制御部２２２は最初に、通信相手との通信を確立する処理を実行する（Ｓ１００２）。
次に入出力制御部２２２は、測定データ入出力処理部２２３を通じて、測定データメモリ２２４に記憶されている患者１０２の生体情報を、通信相手へ送信する（Ｓ１００３）。
その後、入出力制御部２２２は通信相手との時刻同期処理を実行して（Ｓ１００４）、一連の処理を終了する（Ｓ１００５）。
【００３８】
［データカード１１０：通信処理］
図１１は、データカード１１０の、通信処理の流れを示すフローチャートである。図９のステップＳ９０５の詳細である。
処理を開始すると（Ｓ１１０１）、入出力制御部３０５は最初に、通信相手との通信を確立する処理を実行する（Ｓ１１０２）。この時点までは生体情報測定装置１０９と処理が同じであるが、データカード１１０はこれ以降の処理内容が異なる。
次に入出力制御部３０５は、通信相手がデータ送信側機器、すなわち生体情報測定装置１０９であるか、あるいは担当医師のパソコン１１１、すなわち常時正確な日時情報を有するホスト装置であるかを確認する（Ｓ１１０３）。
ステップＳ１１０３で、通信相手がデータ送信側機器であるならば（Ｓ１１０３のＹＥＳ）、入出力制御部３０５は測定データ入出力処理部３０３を通じて、データ送信側機器から測定データを受信する処理を実行する（Ｓ１１０４）。次に入出力制御部３０５は、データ送信側機器との時刻同期処理を実行して（Ｓ１１０５）、一連の処理を終了する（Ｓ１１０６）。
【００３９】
ステップＳ１１０３で、通信相手が常時正確な日時情報を有するホスト装置であるならば（Ｓ１１０３のＮＯ）、入出力制御部３０５は測定データ入出力処理部３０３を通じて、ホスト装置に対して測定データを送信する処理を実行する（Ｓ１１０７）。次に入出力制御部３０５は、ホスト装置から日時データを受信する処理を実行し（Ｓ１１０８）、時刻情報更新処理部２２６を通じて、受信した日時データでＲＴＣ２１１を較正する（Ｓ１１０９）。そして入出力制御部３０５は、経由回数メモリ２２８に記憶される経由回数を１に、経過時間メモリ２２７に記憶される同期経過時間を０に、経過時間メモリ２２７に記憶される同期経過時間受信日時を受信した日時データで、それぞれ初期化して（Ｓ１１１０）、一連の処理を終了する（Ｓ１１０６）。
【００４０】
［生体情報測定装置１０９とデータカード１１０との、日時データ送受信の流れ］
図１２Ａは、生体情報測定装置１０９とデータカード１１０との、時刻同期を実施しない場合における、日時データ送受信のやり取りを示すタイムチャートである。
図１２Ｂは、生体情報測定装置１０９とデータカード１１０との、時刻同期判定処理以降の、生体情報測定装置１０９がＲＴＣ２１１較正を実施する場合における、日時データ送受信のやり取りを示すタイムチャートである。
図１２Ｃは、生体情報測定装置１０９とデータカード１１０との、時刻同期判定処理以降の、データカード１１０がＲＴＣ２１１較正を実施する場合における、日時データ送受信のやり取りを示すタイムチャートである。
図１２Ｂ及び図１２Ｃにおいて、一点鎖線で区切られる以前の処理は、図１２Ａと共通する。
【００４１】
図１２Ａにおいて、先ず、生体情報測定装置１０９とデータカード１１０は、通信確立処理と測定データ送受信処理を実行する（Ｓ１２０１）。このステップＳ１２０１は、図１０のステップＳ１００２及びＳ１００３、図１１のステップＳ１１０２及びＳ１１０４に相当する。
次に、データカード１１０は生体情報測定装置１０９に対し、経由回数と同期経過時間を要求する（Ｓ１２０２）。生体情報測定装置１０９はこの要求を受信すると、経由回数と同期経過時間をデータカード１１０へ送信する（Ｓ１２０３）。データカード１１０は生体情報測定装置１０９から経由回数と同期経過時間を受信すると（Ｓ１２０４）、時刻同期判定処理を実行する（Ｓ１２０５）。
ステップＳ１２０５における時刻同期判定処理の結果、データカード１１０と生体情報測定装置１０９の双方共に、時刻同期すべきでないと判断した場合は、データカード１１０は生体情報測定装置１０９に対し、時刻同期を実施しない旨の通知を送信して、通信処理を終了する（Ｓ１２０６）。生体情報測定装置１０９は、データカード１１０から時刻同期を実施しない旨の通知を受信すると、その時点で通信処理を終了する（Ｓ１２０７）。
【００４２】
図１２Ｂにおいて、ステップＳ１２０５における時刻同期判定処理の結果、生体情報測定装置１０９がデータカード１１０のＲＴＣ２１１に時刻同期すべきであると判断した場合は、データカード１１０は生体情報測定装置１０９に対し、現在日時データと、経由回数と、同期経過時間を送信して、通信処理を終了する（Ｓ１２０８）。
一方、生体情報測定装置１０９は、データカード１１０から現在日時データと、経由回数と、同期経過時間を受信すると（Ｓ１２０９）、ＲＴＣ２１１を較正し、経由回数と同期経過時間を更新して、通信処理を終了する（Ｓ１２１０）。
【００４３】
図１２Ｃにおいて、ステップＳ１２０５における時刻同期判定処理の結果、データカード１１０が生体情報測定装置１０９のＲＴＣ２１１に時刻同期すべきであると判断した場合は、データカード１１０は生体情報測定装置１０９に対し、現在日時データを要求する（Ｓ１２１１）。
生体情報測定装置１０９は、データカード１１０から現在日時データの要求を受信すると、現在日時データを送信して、通信処理を終了する（Ｓ１２１２）。
データカード１１０は、生体情報測定装置１０９から現在日時データを受信すると（Ｓ１２１３）、ＲＴＣ２１１を較正し、経由回数と同期経過時間を更新して、通信処理を終了する（Ｓ１２１４）。
【００４４】
［データカード１１０の時刻同期処理］
図１３は、データカード１１０の時刻同期処理の流れを示すフローチャートである。図１１のステップＳ１１０５の詳細である。
処理を開始すると（Ｓ１３０１）、入出力制御部３０５は近距離無線通信部２１２を通じて、生体情報測定装置１０９に対し、経由回数と同期経過時間を要求する（Ｓ１３０２）。そして、生体情報測定装置１０９から経由回数と同期経過時間の受信を待つ（Ｓ１３０３）。この処理は、経由回数と同期経過時間の受信が完了するまで続けられる（Ｓ１３０４のＮＯ）。
生体情報測定装置１０９から経由回数と同期経過時間の受信が完了したら（Ｓ１３０４のＹＥＳ）、時刻情報判定処理部３０４は、データカード１１０自身の同期経過時間を算出する。そして算出した同期経過時間を用いて、データカード１１０自身と、経由回数と同期経過時間を送信した生体情報測定装置１０９の、時刻レベルを算出する（Ｓ１３０５）。
【００４５】
ここで一旦、時刻レベルについて簡単に説明する。
時刻レベルとは、発明者が本発明を完成するに際し導入した、生体情報測定装置１０９とデータカード１１０の双方において、ＲＴＣ２１１が計時する日時情報がどの程度正確であるのかを把握するための指標である。
時刻レベルは、同期経過時間に基づくレベル係数に、経由回数を乗算した値である。
レベル係数は例えば、同期経過時間に対応するレベル係数テーブルで決める。レベル係数テーブルの例を以下に示す。
【００４６】
【表１】
2018084929.tif 000003
【００４７】
例えば、データカード１１０が担当医師のパソコン１１１から正確な日時情報を受信すると、その時点の経由回数は１であり、レベル係数が１．０であることから、時刻レベルは１×１＝１となる。
次に、その日のうちにデータカード１１０から生体情報測定装置１０９が日時情報を受信すると、その時点の経由回数は２であり、レベル係数が１．０であることから、時刻レベルは２×１＝２となる。つまり、時刻レベルは１が最良であり、時刻レベルの値が大きくなればＲＴＣ２１１の正確さが低下することを意味する。
また、データカード１１０や生体情報測定装置１０９の電池２０１を抜いて、新たな電池２０１に交換すると、図６のステップＳ６０２に示す電源投入時初期化処理が実行され、図７のステップＳ７０３にて経由回数が０にされてしまうので、レベル係数の値の如何にかかわらず、時刻レベルは０となる。
すなわち時刻レベルとは、電池２０１が交換されたか（０）否か（１以上）を示すフラグ情報であると共に、電池２０１が交換されていない状況においてＲＴＣ２１１の正確さを客観的に示す指標値でもある。
【００４８】
次に、時刻情報判定処理部３０４は、算出したデータカード１１０自身の時刻レベルと、生体情報測定装置１０９の時刻レベルが共に０であるか否か、確認する（Ｓ１３０６）。データカード１１０自身の時刻レベルと、生体情報測定装置１０９の時刻レベルが共に０であるならば（Ｓ１３０６のＹＥＳ）、時刻情報判定処理部３０４は、データカード１１０と生体情報測定装置１０９の双方共に、時刻同期すべきでないと判断する。そこで入出力制御部３０５は、近距離無線通信部２１２を通じて、生体情報測定装置１０９に対し、時刻同期を実施しない旨の通知を送信して（Ｓ１３０７）、通信処理を終了する（Ｓ１３０８）。
このステップＳ１３０７は、図１２ＡのステップＳ１２０６に相当する。
【００４９】
ステップＳ１３０６において、データカード１１０自身の時刻レベルと、生体情報測定装置１０９の時刻レベルが共に０でないならば（Ｓ１３０６のＮＯ）、次に時刻情報判定処理部３０４は、生体情報測定装置１０９の時刻レベルが０であるか否か、確認する（Ｓ１３０９）。
生体情報測定装置１０９の時刻レベルが０であるならば（Ｓ１３０９のＹＥＳ）、時刻情報判定処理部３０４は、生体情報測定装置１０９がデータカード１１０の日時情報に同期すべきであると判断する。そこで入出力制御部３０５は、近距離無線通信部２１２を通じて、生体情報測定装置１０９に対し、現在日時、経由回数、同期経過時間を送信する処理を実行して（Ｓ１３１０）、通信処理を終了する（Ｓ１３０８）。
このステップＳ１３１０は、図１２ＢのステップＳ１２０８に相当する。
【００５０】
ステップＳ１３０９において、生体情報測定装置１０９の時刻レベルが０でないならば（Ｓ１３０９のＮＯ）、次に時刻情報判定処理部３０４は、データカード１１０の時刻レベルが０であるか否か、確認する（Ｓ１３１１）。
データカード１１０の時刻レベルが０であるならば（Ｓ１３１１のＹＥＳ）、時刻情報判定処理部３０４は、データカード１１０が生体情報測定装置１０９の日時情報に同期すべきであると判断する。そこで入出力制御部３０５は、近距離無線通信部２１２を通じて、生体情報測定装置１０９に対し、現在日時データの送信を要求し、受信した現在日時データに較正する処理を実行して（Ｓ１３１２）、通信処理を終了する（Ｓ１３０８）。
このステップＳ１３１２は、図１２ＣのステップＳ１２１１、Ｓ１２１３及びＳ１２１４に相当する。
【００５１】
ステップＳ１３１１において、データカード１１０の時刻レベルが０でないならば（Ｓ１３１１のＮＯ）、次に時刻情報判定処理部３０４は、生体情報測定装置１０９の時刻レベルがデータカード１１０の時刻レベルより小さいか否か、確認する（Ｓ１３１３）。
生体情報測定装置１０９の時刻レベルがデータカード１１０の時刻レベルより小さいならば（Ｓ１３１３のＹＥＳ）、時刻情報判定処理部３０４は、データカード１１０が生体情報測定装置１０９の日時情報に同期すべきであると判断する。そこで入出力制御部３０５は、近距離無線通信部２１２を通じて、生体情報測定装置１０９に対し、現在日時データの送信を要求し、受信した現在日時データに較正する処理を実行して（Ｓ１３１２）、通信処理を終了する（Ｓ１３０８）。
【００５２】
ステップＳ１３１３において、生体情報測定装置１０９の時刻レベルがデータカード１１０の時刻レベルより小さくないならば（Ｓ１３１３のＮＯ）、次に時刻情報判定処理部３０４は、生体情報測定装置１０９の時刻レベルとデータカード１１０の時刻レベルが同じであるか否か、確認する（Ｓ１３１４）。
生体情報測定装置１０９の時刻レベルとデータカード１１０の時刻レベルが同じでないならば（Ｓ１３１４のＮＯ）、これは生体情報測定装置１０９の時刻レベルがデータカード１１０の時刻レベルより大きいことを意味する。よって、時刻情報判定処理部３０４は、生体情報測定装置１０９がデータカード１１０の日時情報に同期すべきであると判断する。そこで入出力制御部３０５は、近距離無線通信部２１２を通じて、生体情報測定装置１０９に対し、現在日時、経由回数、同期経過時間を送信する処理を実行して（Ｓ１３１０）、通信処理を終了する（Ｓ１３０８）。
【００５３】
ステップＳ１３１４において、生体情報測定装置１０９の時刻レベルとデータカード１１０の時刻レベルが同じであるならば（Ｓ１３１４のＹＥＳ）、次に時刻情報判定処理部３０４は、生体情報測定装置１０９の同期経過時間と、データカード１１０の同期経過時間を比較して、生体情報測定装置１０９の同期経過時間の方が短いか否か、確認する（Ｓ１３１５）。
生体情報測定装置１０９の同期経過時間の方が短いならば（Ｓ１３１５のＹＥＳ）、これは生体情報測定装置１０９のＲＴＣ２１１の方が、データカード１１０のＲＴＣ２１１よりも時刻ずれが少ないものと期待できる。よって、時刻情報判定処理部３０４は、データカード１１０が生体情報測定装置１０９の日時情報に同期すべきであると判断する。そこで入出力制御部３０５は、近距離無線通信部２１２を通じて、生体情報測定装置１０９に対し、現在日時データの送信を要求し、受信した現在日時データに較正する処理を実行して（Ｓ１３１２）、通信処理を終了する（Ｓ１３０８）。
【００５４】
ステップＳ１３１５において、生体情報測定装置１０９の同期経過時間と、データカード１１０の同期経過時間を比較して、生体情報測定装置１０９の同期経過時間の方が短くないならば（Ｓ１３１５のＮＯ）、次に時刻情報判定処理部３０４は、生体情報測定装置１０９の同期経過時間と、データカード１１０の同期経過時間が等しいか否か、確認する（Ｓ１３１６）。
生体情報測定装置１０９の同期経過時間と、データカード１１０の同期経過時間が等しくないならば（Ｓ１３１６のＮＯ）、これは生体情報測定装置１０９の同期経過時間よりもデータカード１１０の同期経過時間の方が短いことを意味する。よって、時刻情報判定処理部３０４は、生体情報測定装置１０９がデータカード１１０の日時情報に同期すべきであると判断する。そこで入出力制御部３０５は、近距離無線通信部２１２を通じて、生体情報測定装置１０９に対し、現在日時、経由回数、同期経過時間を送信する処理を実行して（Ｓ１３１０）、通信処理を終了する（Ｓ１３０８）。
【００５５】
ステップＳ１３１６において、生体情報測定装置１０９の同期経過時間と、データカード１１０の同期経過時間が等しいならば（Ｓ１３１６のＹＥＳ）、次に時刻情報判定処理部３０４は、生体情報測定装置１０９の経由回数と、データカード１１０の経由回数とを比較して、データカード１１０の経由回数より生体情報測定装置１０９の経由回数が少ないのか否か、確認する（Ｓ１３１７）。
データカード１１０の経由回数より生体情報測定装置１０９の経由回数が少ないならば（Ｓ１３１７のＹＥＳ）、これは生体情報測定装置１０９のＲＴＣ２１１の方が、データカード１１０のＲＴＣ２１１よりも時刻ずれが少ないものと期待できる。よって、時刻情報判定処理部３０４は、データカード１１０が生体情報測定装置１０９の日時情報に同期すべきであると判断する。そこで入出力制御部３０５は、近距離無線通信部２１２を通じて、生体情報測定装置１０９に対し、現在日時データの送信を要求し、受信した現在日時データに較正する処理を実行して（Ｓ１３１２）、通信処理を終了する（Ｓ１３０８）。
【００５６】
ステップＳ１３１７において、データカード１１０の経由回数より生体情報測定装置１０９の経由回数が少なくないならば（Ｓ１３１７のＮＯ）、これは生体情報測定装置１０９の経由回数よりもデータカード１１０の経由回数が少ないか、あるいは等しいことを意味する。よって、時刻情報判定処理部３０４は、生体情報測定装置１０９がデータカード１１０の日時情報に同期すべきであると判断する。そこで入出力制御部３０５は、近距離無線通信部２１２を通じて、生体情報測定装置１０９に対し、現在日時、経由回数、同期経過時間を送信する処理を実行して（Ｓ１３１０）、通信処理を終了する（Ｓ１３０８）。
【００５７】
時刻情報判定処理部３０４は、ステップＳ１３０６から、Ｓ１３０９、Ｓ１３１１、Ｓ１３１３、Ｓ１３１４、Ｓ１３１５、Ｓ１３１６、そしてＳ１３１７に至る合計８個の条件分岐によって、時刻同期を全く行わない（Ｓ１３０７）か、生体情報測定装置１０９に時刻同期を行わせる（Ｓ１３１０）、あるいはデータカード１１０が時刻同期を行う（Ｓ１３１２）かの判断を行う。その判断処理は、先ず時刻レベルの検証及び比較（Ｓ１３０６、Ｓ１３０９、Ｓ１３１１、Ｓ１３１３、Ｓ１３１４）から始まり、次に同期経過時間の比較（Ｓ１３１５、Ｓ１３１６）を経て、最後に経由回数の比較（Ｓ１３１７）を行うことで、判断する。
【００５８】
前述の通り、時刻レベルは同期経過時間に基づくレベル係数に経由回数を乗算した値であると共に、電池２０１が交換されたか否かを知るフラグ情報としての機能も有する。
電池２０１が交換された機器は、ＲＴＣ２１１が強制的に初期化されている（図７のステップＳ７０２）ので、通信を行うデータカード１１０と生体情報測定装置１０９の双方共に電池２０１が交換されていれば（図１３のステップＳ１３０６のＹＥＳ）、時刻同期処理をする意味がないので時刻同期を行わない（Ｓ１３０７）。
次に、一方の電池２０１のみ交換されていれば、問答無用で他方の日時情報でＲＴＣ２１１を較正する（Ｓ１３０９のＹＥＳ、Ｓ１３１１のＹＥＳ）。
次に、双方共に電池２０１が交換されていなければ、時刻レベルの大小で、ＲＴＣ２１１の較正を行う（Ｓ１３１３のＹＥＳ、Ｓ１３１４のＮＯ）。
双方共に時刻レベルが等しい場合は、次に同期経過時間の大小で、ＲＴＣ２１１の較正を行う（Ｓ１３１５のＹＥＳ、Ｓ１３１６のＮＯ）。
更に双方共に同期経過時間が等しい場合は、最後に経由回数の大小で、ＲＴＣ２１１の較正を行う（Ｓ１３１７）。
【００５９】
［データカード１１０の時刻較正処理］
図１４は、データカード１１０の時刻較正処理の流れを示すフローチャートである。図１３のステップＳ１３１２の詳細である。
処理を開始すると（Ｓ１４０１）、入出力制御部３０５は近距離無線通信部２１２を通じて、生体情報測定装置１０９に対し、日時データの送信を要求する（Ｓ１４０２）。そして、生体情報測定装置１０９から日時データの受信を待つ（Ｓ１４０３）。この処理は、日時データの受信が完了するまで続けられる（Ｓ１４０４のＮＯ）。
生体情報測定装置１０９から日時データの受信が完了したら（Ｓ１４０４のＹＥＳ）、入出力制御部３０５は時刻情報更新処理部２２６を通じて、受信した日時データでＲＴＣ２１１を較正する（Ｓ１４０５）。
そして入出力制御部３０５は、図１３のステップＳ１３０３及びＳ１３０４にて受信した経由回数に１を加えた値を、データカード１１０自身の経由回数として、経由回数メモリ２２８に保存する（Ｓ１４０６）。
更に入出力制御部３０５は、図１３のステップＳ１３０３及びＳ１３０４にて受信した同期経過時間を、データカード１１０自身の同期経過時間として、経過時間メモリ２２７に保存すると共に、ステップＳ１４０３及びＳ１４０４にて受信した日時データを、データカード１１０自身の同期経過時間受信日時として、経過時間メモリ２２７に保存して（Ｓ１４０７）、一連の処理を終了する（Ｓ１４０８）。
【００６０】
［データカード１１０及び生体情報測定装置１０９の時刻等送信処理］
図１５は、データカード１１０の時刻等送信処理の流れを示すフローチャートである。図１３のステップＳ１３１０の詳細である。また、図１６で後述する生体情報測定装置１０９においても同じ処理を実行する。
処理を開始すると（Ｓ１５０１）、入出力制御部３０５は、現在日時から、経過時間メモリ２２７に保存されている同期経過時間受信日時を減算して、直前経過時間を算出する（Ｓ１５０２）。
次に入出力制御部３０５は、経過時間メモリ２２７に保存されている同期経過時間に、ステップＳ１５０２で算出した直前経過時間を加算して、送信用同期経過時間を算出する（Ｓ１５０３）。
そして入出力制御部３０５は、ステップＳ１５０３で算出した送信用同期経過時間を、現在日時情報と経由回数と共に、近距離無線通信部２１２を通じて生体情報測定装置１０９へ送信して（Ｓ１５０４）、一連の処理を終了する（Ｓ１５０５）。
なお、生体情報測定装置１０９の場合、ステップＳ１５０４の処理は、送信用同期経過時間を、現在日時情報と経由回数と共に、近距離無線通信部２１２を通じてデータカード１１０に対して送信することとなる。
【００６１】
［生体情報測定装置１０９の時刻同期処理］
図１６は、生体情報測定装置１０９の時刻同期処理の流れを示すフローチャートである。図１０のステップＳ１００４の詳細である。
処理を開始すると（Ｓ１６０１）、入出力制御部２２２は近距離無線通信部２１２を通じて、データカード１１０に対し、同期経過時間と経由回数の要求を待つ（Ｓ１６０２）。この処理は、同期経過時間と経由回数の要求の受信が完了するまで続けられる（Ｓ１６０３のＮＯ）。
データカード１１０から同期経過時間と経由回数の要求を受信できたら（Ｓ１６０３のＹＥＳ）、入出力制御部２２２は近距離無線通信部２１２を通じて、図１５に示した時刻等送信処理を実行する（Ｓ１６０４）。
そして入出力制御部２２２は、データカード１１０から指示を待つ（Ｓ１６０５）。この処理は、データカード１１０から所定の指示が来るまで続けられる（Ｓ１６０６のＮＯ）。
【００６２】
ステップＳ１６０６において、生体情報測定装置１０９がデータカード１１０から受信する内容を以下に示す。
（１）データカード１１０と生体情報測定装置１０９の双方共に時刻の同期を実施しない旨の通知（図１２Ａ）。
（２）データカード１１０から生体情報測定装置１０９へ日時データの送信を要求する旨の通知（図１２Ｃ）。
（３）データカード１１０から生体情報測定装置１０９へ送信される、データカード１１０の現在日時データ、同期経過時間及び経由回数（図１２Ｂ）。
【００６３】
ステップＳ１６０６において、データカード１１０から指示等の情報を受信したら（Ｓ１６０６のＹＥＳ）、入出力制御部２２２は、受信した指示等の情報の内容が時刻の同期を実施しない旨の通知であるか否か、確認する（Ｓ１６０７）。
受信した指示等の情報の内容が時刻の同期を実施しない旨の通知であるならば（Ｓ１６０７のＹＥＳ）、入出力制御部２２２は何もせずに通信処理を終了する（Ｓ１６０８）。
このステップＳ１６０６からＳ１６０７のＹＥＳは、図１２ＡのステップＳ１２０７に相当する。
【００６４】
ステップＳ１６０７において、受信した指示等の情報の内容が時刻の同期を実施しない旨の通知でないならば（Ｓ１６０７のＮＯ）、入出力制御部２２２は次に、受信した指示等の情報の内容が日時データの送信を要求する旨の通知であるか否か、確認する（Ｓ１６０９）。
受信した指示等の情報の内容が日時データの送信を要求する旨の通知であるならば（Ｓ１６０９のＹＥＳ）、入出力制御部２２２は現在日時データを近距離無線通信部２１２を通じてデータカード１１０へ送信して（Ｓ１６１０）、通信処理を終了する（Ｓ１６０８）。
このステップＳ１６１０は、図１２ＣのステップＳ１２１２に相当する。
【００６５】
ステップＳ１６０９において、受信した指示等の情報の内容が日時データの送信を要求する旨の通知でないならば（Ｓ１６０９のＮＯ）、入出力制御部２２２はステップＳ１６０６の時点でデータカード１１０から図１３のステップＳ１３１０の、時刻等送信処理によって、現在日時データ、同期経過時間及び経由回数を受信している。そこで入出力制御部２２２は、時刻情報更新処理部２２６を通じて、受信した日時データでＲＴＣ２１１を較正する（Ｓ１６１１）。
次に入出力制御部２２２は、ステップＳ１６０６にて受信した経由回数に１を加えた値を、生体情報測定装置１０９自身の経由回数として、経由回数メモリ２２８に保存する（Ｓ１６１２）。
更に入出力制御部２２２は、ステップＳ１６０６にて受信した同期経過時間を、生体情報測定装置１０９自身の同期経過時間として、経過時間メモリ２２７に保存すると共に、ステップＳ１６０６にて受信した日時データを、生体情報測定装置１０９自身の同期経過時間受信日時として、経過時間メモリ２２７に保存して（Ｓ１６１３）、通信処理を終了する（Ｓ１６０８）。
このステップＳ１６１１からステップＳ１６１３は、図１２ＢのステップＳ１２０９及びＳ１２１０に相当する。
【００６６】
なお、上述の実施形態では、データカード１１０がパソコン１１１と通信を行った場合に、同期経過時間を０に初期化していた。この同期経過時間は相対的な時間差情報である。この相対的な時間差情報である同期経過時間に代えて、データカード１１０がパソコン１１１と通信を行った時点の絶対的な日時情報を記憶し、利用してもよい。
データカード１１０がパソコン１１１と通信を行った時点の日時情報をホスト較正日時とする。このホスト較正日時は、データカード１１０が生体情報測定装置１０９と通信を行う際、その中身を変更することなくそのまま転送する。データカード１１０と生体情報測定装置１０９は、現在日時からホスト較正日時を減算することで、同期経過時間を得ることができる。
【００６７】
本発明の実施形態では、生体情報処理システム１０１を説明した。
生体情報測定装置１０９とデータカード１１０の双方に、ＲＴＣ２１１の正確性を客観的に判断するための指標となる、時刻レベルを導入した。この時刻レベルは、電池２０１が交換されたか否か、及び時刻情報の転送回数を示す経由回数と、最も正確な日時情報にてＲＴＣ２１１が較正された時点からの経過時間の乗算値である。この時刻レベルを用いることで、生体情報測定装置１０９とデータカード１１０のどちらのＲＴＣ２１１を他方の日時情報に較正するか、または較正自体を行わないのかを明確な基準で判断することができる。
時刻レベルを算出するための根拠となる値として、生体情報測定装置１０９とデータカード１１０の双方に、時刻情報の転送回数を示す経由回数を記憶する経由回数メモリ２２８と、最も正確な日時情報にてＲＴＣ２１１が較正された時点からの経過時間を記憶する経過時間メモリ２２７を設けた。経由回数メモリ２２８と経過時間メモリ２２７を設けることで、時刻レベルに基づく時刻同期の判定処理を明確に実行することができる。
【００６８】
以上、本発明の実施形態について説明したが、本発明は上記実施形態に限定されるものではなく、特許請求の範囲に記載した本発明の要旨を逸脱しない限りにおいて、他の変形例、応用例を含む。
例えば、上記した実施形態は本発明をわかりやすく説明するために装置及びシステムの構成を詳細かつ具体的に説明したものであり、必ずしも説明した全ての構成を備えるものに限定されるものではない。また、ある実施形態の構成の一部を他の実施形態の構成に置き換えることは可能であり、更にはある実施形態の構成に他の実施形態の構成を加えることも可能である。また、各実施形態の構成の一部について、他の構成の追加・削除・置換をすることも可能である。
また、上記の各構成、機能、処理部等は、それらの一部又は全部を、例えば集積回路で設計するなどによりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の揮発性あるいは不揮発性のストレージ、または、ＩＣカード、光ディスク等の記録媒体に保持することができる。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【００６９】
１０１…生体情報処理システム、１０２…患者、１０３…血糖計、１０４…体温計、１０５…パルスオキシメータ、１０６…歩数計、１０７…血圧計、１０８…体組成計、１０９…生体情報測定装置、１１０…データカード、１１１…パソコン、１１２…カードリーダ、１１３…インターネット、１１４…ＮＴＰサーバ、２０１…電池、２０２…ＣＰＵ、２０３…ＲＯＭ、２０４…ＲＡＭ、２０５…表示部、２０６…操作部、２０７…不揮発性ストレージ、２０８…バス、２０９…センサ、２１０…Ａ／Ｄ変換器、２１１…ＲＴＣ、２１２…近距離無線通信部、２１３…電源スイッチ、２２１…測定データ演算処理部、２２２…入出力制御部、２２３…測定データ入出力処理部、２２４…測定データメモリ、２２５…電源投入時初期化処理部、２２６…時刻情報更新処理部、２２７…経過時間メモリ、２２８…経由回数メモリ、３０１…患者ＩＤメモリ、３０２…測定データメモリ、３０３…測定データ入出力処理部、３０４…時刻情報判定処理部、３０５…入出力制御部
【図１】
2018084929.tif 000004
【図２】
2018084929.tif 000005
【図３】
2018084929.tif 000006
【図４】
2018084929.tif 000007
【図５】
2018084929.tif 000008
【図６】
2018084929.tif 000009
【図７】
2018084929.tif 000010
【図８】
2018084929.tif 000011
【図９】
2018084929.tif 000012
【図１０】
2018084929.tif 000013
【図１１】
2018084929.tif 000014
【図１２】
2018084929.tif 000015
【図１３】
2018084929.tif 000016
【図１４】
2018084929.tif 000017
【図１５】
2018084929.tif 000018
【図１６】
2018084929.tif 000019